(57)【要約】復水の排出のためのスチームトラップが、開示される。本スチームトラップは、チャンバ、第１のオリフィスおよび少なくとも一つの他のオリフィスを含む。オリフィスの各々は閉鎖要素を有する。全てのオリフィスの閉鎖要素は、フロートによって動作する連結されたレバー配置に接続される。このオリフィスは、トラップのチャンバ内の復水のレベルに応じて開く。【選択図】なし【特許請求の範囲】
【請求項１】
スチームトラップであって、
ｉ．閉鎖空間を規定するチャンバ、前記空間内に蒸気を持つ復水を導入するための入口手段、復水用の出口手段、
ｉｉ．復水用の前記出口手段に至る第１のオリフィス、
ｉｉｉ．復水用の前記出口手段に至る少なくとも一つの第２のオリフィス、
ｉｖ．前記第１のオリフィスの開きを制御する第１の要素、
Ｖ．前記少なくとも一つの第２のオリフィスの開きを制御する少なくとも一つの第２の要素、
ｖｉ．前記第１の要素および前記少なくとも一つの第２の要素と協同するレバーおよびリンク配置、および
ｖ．前記空間に内在する復水のレベルに応じて、全てのオリフィスが閉鎖される第１の位置から、前記レバーおよびリンク機構が前記第１のオリフィスを開放するために前記第１の要素を作動させる第２の位置に、および第１のおよび少なくとも一つの第２のオリフィスが前記第１のオリフィスだけまたは第１および第２のオリフィスから選択的に復水の排出のために開放される第３のおよび以降の位置に、前記閉鎖空間の中で移動されるのに適している前記レバーおよびリンク配置に係着されるフロート、を備えるスチームトラップ。
【請求項２】
請求項１に記載のスチームトラップであって、前記チャンバが、前記閉鎖空間を形成して前記チャンバをオープン可能にするために共にボルトで締められるベースおよびカバーによって規定され、および、前記入出口が前記カバー内に規定される、ことを特徴とするスチームトラップ。
【請求項３】
請求項１に記載のスチームトラップであって、前記要素が前記オリフィスの直径より大きい直径を有するボールである、ことを特徴とするスチームトラップ。
【請求項４】
請求項１に記載のスチームトラップであって、前記第１のオリフィスの直径が前記第２のオリフィスと同じ、より小さいかまたはより大きい、ことを特徴とするスチームトラップ。
【請求項５】
請求項１に記載のスチームトラップであって、弾力的な要素が、前記第２のオリフィスの開放および閉鎖を減衰させるために前記レバーリンク配置と前記第２の要素との間に設けられる、ことを特徴とするスチームトラップ。
【請求項６】
請求項１に記載のスチームトラップであって、前記オリフィスが、前記オリフィスとの前記要素の弾力的な当接のための弾力的なリップを備える、ことを特徴とするスチームトラップ。
【請求項７】
請求項１に記載のスチームトラップであって、前記第１および第２の要素が回動可能に移動可能である、ことを特徴とするスチームトラップ。
【請求項８】
請求項５に記載のスチームトラップであって、前記ボールが一般的に溶接によってそれぞれ前記レバーおよびリンク配置の移動可能な枢支された部材の翼に固着される、ことを特徴とするスチームトラップ。
【請求項９】
請求項８に記載のスチームトラップであって、前記翼が、ピボットフレームで角度で移動可能な枢支ピンに係着される、ことを特徴とするスチームトラップ。
【請求項１０】
請求項１に記載のスチームトラップであって、クロス部材が第１の要素の作動に対して第２の要素の作動を遅延させるように前記第１の要素と前記第２の要素との間に係着される、ことを特徴とするスチームトラップ。
【請求項１１】
請求項１に記載のスチームトラップであって、２つの第２のオリフィスが第１のオリフィスの両側に設けられ、および、２つの第２の要素が設けられ、および、前記レバーおよびリンク配置が前記第１および前記２つの第２の要素を作動させる、ことを特徴とするスチームトラップ。
【請求項１２】
請求項１０に記載のスチームトラップであって、前記クロス部材がそれ自体で弾力的な要素である、ことを特徴とするスチームトラップ。
【請求項１３】
請求項１に記載のスチームトラップであって、前記第１および第２の要素が前記第１のオリフィスと前記第２のオリフィスとの間に位置する回転要素によって規定される、ことを特徴とするスチームトラップ。
【請求項１４】
請求項１に記載のスチームトラップであって、前記第１および第２の要素が前記第１のオリフィスと前記第２のオリフィスとの間に位置するスライダ要素によって規定される、ことを特徴とするスチームトラップ。
【請求項１５】
請求項１に記載のスチームトラップであって、前記オリフィスが、前記チャンバに係着されるのに適しているシングルシート交換可能な構成要素から形成される、ことを特徴とするスチームトラップ。
【請求項１６】
請求項１に記載のスチームトラップであって、前記オリフィスが交換可能な別個の構成要素内のセパレートシートで形成される、ことを特徴とするスチームトラップ。
【請求項１７】
添付の図面を参照して本願明細書において記載されているスチームトラップ。
【発明の詳細な説明】
【技術分野】
【０００１】
本発明は、スチームトラップに関し、特にフロートタイプスチームトラップに関する。
【背景技術】
【０００２】
蒸気の発見および蒸気を原動力として使用する可能性が産業革命を可能にした。蒸気の潜在能力を利用することを学ぶことは、近代の世界の快適さに莫大に寄与し、工業化への進展において重要な前進とみなされることができる。
【０００３】
熱エネルギーは、水を蒸気に転化する。この転化が、大気圧に従い１００℃周辺で生じる。この圧力の蒸気は、工業的用途がきわめて限られている。さまざまな産業用途に適しているより高い圧力および温度で蒸気を発生させて、使用することが一般の手法である。
【０００４】
運動または熱エネルギーを捨てるとすぐに、蒸気は凝縮して、液体状態に転化して戻る。スチームシステム内の復水の存在は、ウォータハンマ、熱エネルギーの損失のような多くの問題に至り（それが水と接触して来るにつれて、生蒸気は迅速に冷却する）、したがって、復水はシステムから排出されなければならない。
【０００５】
復水をオープンドレンに放出することが、システムから復水を取り除くおそらく最も速い方法である。しかし、生蒸気もまた、復水とともに流出し、より高い水蒸気発生費用に至るので、これは実際的でなく、ならびに精製および発生費用を節約するためにボイラ給水として復水を再利用することが、有利である。
【０００６】
スチームトラップは、生蒸気の損失を防止すると共に、蒸気スペースから凝縮された蒸気［復水］を放出する自動弁である。それらはまた、蒸気スペースから空気および非凝縮性粒子を取り除く。
【０００７】
スチームトラップは、高圧スチームシステムと低圧復水（水）収集システムの遷移点に一般に設置される。スチームトラップは、システムの熱エネルギーの損失を防止して、同時に、高圧スチームシステムスペースから復水をすばやく取り除くように設計されている。
【０００８】
多くのタイプのスチームトラップが、それらの様々な応用例とともに公知技術である。スチームトラップは、以下のように広く分類されている。
【０００９】
１．自動温度調節スチームトラップ
自動温度調節スチームトラップは、蒸気と復水の温度の差異の原理で動作する。復水は、環境への熱損失のために迅速に冷却し、および、低温度が検出されるにつれて、自動温度調節スチームトラップが開いて、復水を除去する。蒸気がトラップに到達すると、温度が上昇し、および、トラップはそれで閉じる。
【００１０】
２．メカニカル式スチームトラップ
メカニカル式スチームトラップは、流体密度の差異を検出することで動作する。ボールタイプフロートまたは逆バケットが、トラップ内の復水の存在を検出するのに用いられ、および復水を放出するためにオリフィスを開け、および水位がプレセットレベルに落ちるとすぐに閉じる。
【００１１】
３．熱力学的スチームトラップ
熱力学的スチームトラップは、蒸気の流体力学における変化を検出することで動作する。この種のトラップは、固定または調節オリフィスを通して通過する蒸気と復水との間の速度または運動エネルギーの差異で動作する。
【００１２】
スチームトラップは、また、それらの一般的な動作、すなわち「連続的フロー」および「断続的フロー」に基づいて分類されることができる。
【００１３】
連続的フロー型トラップでは、復水の連続排出がある。これらは、一般にフロート自動温度調節および固定オリフィストラップである。断続的トラップは、開閉サイクルで働く。それらは、保持−排出−保持のパターンを有する。これらのトラップは、通常、熱力学的、逆バケットおよびバイメタルのタイプである。
【００１４】
蒸気加熱プロセスの初期に、システム内部のスペースが空気で充填され、それは排気されない限り、沸騰熱伝達率を減少させて、起動時間を増大する。入力蒸気と混ざり合う機会を有する前に、空気をできる限りすばやく除去することが必要である。一旦空気と蒸気が共に混じると、それらは蒸気を復水し、そして次に、システムから空気を排出することによってだけ分離されることができる。
【００１５】
自動温度調節トラップは、起動において全開で、スチームシステム内にトラップされた空気を容易に排出する。フロートトラップは、この機能を満たすために内蔵自動温度調節空気抜きを一般に備えている。熱力学的トラップは、中程度の量の空気を扱うことが完全に可能である。しかしながら、固定オリフィス復水出口の小開口および逆バケットトラップ内のブリード穴は、両方とも空気をゆっくり排出する。不適当な空気抜きは、生成時間、ウォームアップタイムおよび腐蝕を増加させる。
【００１６】
本発明は、メカニカル式スチームトラップに関し、特にフロートタイプメカニカルスチームトラップに関する。
【００１７】
フロートタイプスチームトラップの主要な機能は、蒸気配管から復水を排出することである。従来のフロートタイプスチームトラップは、フロートおよびレバー機構によって次に動作させられる単一のオリフィスを有する。フロート弁は、一般的にチャンバ内に配置される枢支されたアームの端に接続された金属または合成高分子材料でできている気密封入されたボールから成る。流体がチャンバに入ると、ボールは水のような流体内に浮き、および、ボールはそのアームと一緒に上下に動く傾向がある。この上下運動は、ボールに対して遠位のアームの端にオリフィス開閉要素を接続することによって効果的に使われる。この機構は、したがって、オリフィスを通して水のような流体のフローを制御するための弁として働く。それらがその中に設置されるこの種の機構を有するので、フロートタイプスチームトラップはそう呼ばれている。
【００１８】
フロートタイプスチームトラップは、復水を除去するために処理容器に設置される。処理における蒸気消費量は時間とともに変化し、それによって復水荷重の変動が生じる。起動時に、全ての処理過程および蒸気配管が冷たい時、復水の率は高い。この起動期間において、トラップは高い復水荷重を処理しなければならない。フロートタイプスチームトラップは、実行時の復水荷重およびトラップ全体の差圧に基づいて寸法決めされる。したがって、選択されたスチームトラップは起動で復水を効果的に除去することが可能でない。スチームトラップが起動復水荷重およびトラップ全体の差圧で寸法決めされる場合、それはスチームトラップを必要以上に大きくする。これは、より多くのスペース、余分の費用および大きな設備が必要となる結果になる。
【００１９】
一部の処理の復水荷重は高く、それが単一オリフィスフロートトラップの復水処理能力を越えて存在するかもしれない。２つのスチームトラップが、これらの高い復水荷重を処理するために必要である。これはより多くのスペース、費用を必要とし、設備はより大きい。加えて、周知の技術に存在するいくつかの他の限界がある。
【００２０】
（特許文献１）は、複数の異なる入出口導管形状に適するスチームトラップハウジングを説明する。この発明において、復水処理能力は選択されるユニットに限られており、それは復水荷重の変動をすばやく処理することができない。
【００２１】
（特許文献２）が、長い動作寿命を得るために、大きい初期機械的工率および大きい接触面積を備えた半球状のバルブシートを有する二重支点スチームトラップを明らかにしている。しかしながらオリフィス寸法が固定されているので、復水排出量が選択されるトラップの寸法に限られていて、変動する復水荷重を効果的に処理することが可能でない。
【００２２】
（特許文献３）が、レバー機構のないフロート弁を明らかにし、そこにおいて中空球状フロートの外部表面が、バルブシート内に位置するオリフィスを開閉するように動作する。オリフィス寸法は、フロートの寸法および選択されるトラップに関連して限られていて、変動する復水荷重を効果的に処理することが可能でない。
【００２３】
（特許文献４）が、フロートおよび自動温度調節スチームトラップを明らかにし、そこにおいて、温度が所定の値より下である場合、通気およびトラップ機能が、フロートリンク機構に働く自動温度調節アクチュエータと同じ弁によって実行される。起動状態においておよび温度が所定の値より下である場合、自動温度調節アクチュエータが係わり、弁のフロート組立体に、空気および復水をすばやく排出するために、開いたままにすることを強制する。設定値より上の温度で、自動温度調節アクチュエータはフロートがトラップチャンバ内の復水のレベルに従い開閉することができるように完全に離れる。この文書にて開示されたスチームトラップは、空気抜きおよび起動復水荷重を効果的に処理することが可能であるが、しかし、予め設定された温度より上の状態における変動する復水荷重の問題に対処することに失敗している。この設計のスチームトラップは、任意の特定の用途に対する最大可能な復水荷重を満たすために寸法決めされなければならず、したがって、大きくてより高価になる可能性がある。
【００２４】
（特許文献５）が、フロート動作されたスチームトラップを明らかにし、そこにおいて、出口オリフィスの両側がスチームトラップの入口で優勢になっている圧力を検出することによって開閉される。この発明は、バルブシートの耐摩耗性を向上させることを試みるが、しかし、通常動作で遭遇する起動空気抜きおよび変動する復水荷重の問題に対処することに失敗している。
【００２５】
（特許文献６）が、フロート動作されたスチームトラップを明らかにし、この発明では、弁閉じ部材が２つ以上のオリフィスを開閉するために固定したシートを介して滑動する。弁閉じ部材を装着するフロートアームが、固定オリフィスの表面全体にシートを滑動させるためにフロートによって発揮される力を使用する。この閉じ部材はバルブシートとの表面接触を有し、および、バルブシートに対向してそれを密封するために何の陽圧も弁閉じ部材に加えられない。これは、オリフィスを通しての漏れ、すべり摩擦による損耗に至り、および、枢動アームが短い場合、オリフィスを完全に開けるために、フロートは特別にピボットの点に関してより大きい弧の上を動かなければならない。オリフィスが完全にオープン可能でないので、復水量は比例して減少し、および、より大きい寸法のトラップが必要な流量を処理するのに用いられなければならない。
【００２６】
（特許文献７）は、ねじ接続による共線入出口を備えたフロート動作されたスチームトラップを明らかにし、それは、設置するのが容易で、生蒸気の漏れを防ぐ。この発明では、通常動作において遭遇される起動空気抜きおよび変動する復水荷重を処理するために何の準備もなされていない。
【特許文献１】米国特許第４２７６３５４号
【特許文献２】米国特許第４３８７７３３号
【特許文献３】米国特許第４５４５３９７号
【特許文献４】米国特許第４６２３０９１号
【特許文献５】米国特許第４７０６６９９号
【特許文献６】米国特許第７０９６８８０号
【特許文献７】米国特許第７１７１９７６号
【００２７】
本発明は、既存の従来技術の限界を克服しようとする。
【発明の開示】
【発明が解決しようとする課題】
【００２８】
本発明の目的は、効率的なフロートタイプスチームトラップを提供することである。
【００２９】
本発明の他の目的は、寸法において最適であるフロートタイプスチームトラップを提供することである。
【００３０】
本発明の他の目的は、設備の寸法が減少されるフロートタイプスチームトラップを提供することである。
【００３１】
本発明のさらに別の目的は、広範囲の稼働中の復水荷重にわたって、制御された方法で復水を効果的にトラップして排出するフロートタイプスチームトラップを提供することである。
【００３２】
本発明のさらに別の目的は、高くて変動する復水荷重を備えたフロートタイプスチームトラップを提供することである。
【００３３】
本発明のさらに別の目的は、選択および寸法決定の困難を克服するために広範囲の稼働中の復水荷重およびトラップ全体の圧差を備えたフロートタイプスチームトラップを提供することである。
【００３４】
さらに、本発明の目的は設備の費用および大きさを減少させることである。
【課題を解決するための手段】
【００３５】
本発明に従って、スチームトラップであって、
ｉ．閉鎖空間を規定するチャンバ、前記空間内に蒸気を持つ復水を導入するための入口手段、復水用の出口手段、
ｉｉ．復水用の前記出口手段に至る第１のオリフィス、
ｉｉｉ．復水用の前記出口手段に至る少なくとも一つの第２のオリフィス、
ｉｖ．前記第１のオリフィスの開きを制御する第１の要素、
Ｖ．前記少なくとも一つの第２のオリフィスの開きを制御する少なくとも一つの第２の要素、
ｖｉ．前記第１の要素および前記少なくとも一つの第２の要素と協同するレバーおよびリンク配置、および
ｖ．前記空間に内在する復水のレベルに応じて、全てのオリフィスが閉鎖される第１の位置から、レバーおよびリンク機構が第１のオリフィスを開放するために第１の要素を作動させる第２の位置に、および第１のおよび少なくとも一つの第２のオリフィスが前記第１のオリフィスだけまたは第１および第２のオリフィスから選択的に復水の排出のために開放される第３のおよび以降の位置に、前記閉鎖空間の中で移動されるのに適している前記レバーおよびリンク配置に係着されるフロート、を備えるスチームトラップが提供される。
【００３６】
一般的に、前記チャンバは、閉鎖空間を形成してこのチャンバをオープン可能にするために共にボルトで締められるベースおよびカバーによって規定され、および、前記入出口が前記カバー内に規定される。
【００３７】
一般的に、前記要素はオリフィスの直径より大きい直径を有するボールであり、および前記ボールは一般的に溶接によってそれぞれ前記レバーおよびリンク配置の移動可能な枢支された部材の翼に固着される。
【００３８】
一般的に、前記第１のオリフィスの直径は前記第２のオリフィスと同じ、より小さいかまたはより大きい。
【００３９】
一般的に、クロス部材が第１の要素の作動に対して第２の要素の作動を遅延させるために第１および第２の要素の間に係着される。
【００４０】
本発明の一実施態様に従って、弾力的な要素が第２のオリフィスの開放および閉鎖を減衰させるためにレバーリンク配置と第２の要素との間に設けられる。代わりとして、前記クロス部材がそれ自体で弾力的な要素である。
【００４１】
本発明の別の実施態様に従って、前記オリフィスはオリフィスとの要素の弾力的な当接のための弾力的なリップを備えている。特に、前記第１および第２の要素は回動可能に移動可能である。
【００４２】
本発明の他の実施態様において、２つの第２のオリフィスが第１のオリフィスの両側に設けられ、２つの第２の要素が設けられ、前記レバーおよびリンク配置が第１および２つの第２の要素を作動させる。
【００４３】
本発明のさらに別の実施態様において、前記第１および第２の要素が第１および第２のオリフィスの間に位置する回転要素によって、または第１および第２のオリフィスの間に位置するスライダ要素によって規定される。
【００４４】
オリフィスは、前記チャンバに係着されるのに適しているシングルシート交換可能な構成要素内に形成されることができるか、または、前記オリフィスは交換可能な別個の構成要素内のセパレートシート内に形成される。
【発明を実施するための最良の形態】
【００４５】
添付の図面を参照する。本発明に従うスチームトラップは、参照番号１０によって全体として指示される。それは、ベース１２、およびカバー１４によって規定されるチャンバ２８から成る。ベースおよびカバーは、チャンバの漏れを防止するためにボルト２２を用いて共にボルトで締められる。チャンバは、チャンバ内に蒸気を持つ復水を導入するための入口手段１５を有する。チャンバは、また、復水の排出のための出口手段１７を有する。入出口手段はねじまたはフランジを付けられた接続として、カバー１４に設けられる。
【００４６】
特に図１に示すように、本発明のスチームトラップ１０は第１のオリフィス３５および第２のオリフィス４０を有する。オリフィスは、チャンバに通じている通路４１、４２の端にあって、ベース１２内に形成される。通路の他端は、特に図１および図７に示すように、出口１７と連通している。これらの通路４１および４２は、ベース１２内に形成されて、復水を出口手段１７に導くために相互接続される。
【００４７】
本発明のスチームトラップ１０は、オリフィスを開閉するための配置を更に含む。第１のオリフィスの開閉のための配置は、一般的に金属または合成高分子材料でできているボールフロート１６から成って、枢支されたレバー１８の端にしっかりと係着される。レバー１８は、ピボットフレーム３３およびピボットピン３４を通してベース１２に回動可能に取り付けられる。レバー１８は一般的に直角に曲げられ、および、曲がった翼の上に、オリフィス閉鎖ボール要素３０が一般的に溶接によって固着される。オリフィス閉鎖要素３０は、オリフィスより大きい直径のボールである。
【００４８】
本発明のスチームトラップ１０はさらに、第２のオリフィスを開閉するための配置を含む。図２に示すように，クロス部材３６の一端が第１のレバー１８に一般的に溶接によって堅固に結合されて、それがフロートボール１６の中間位置に第２のレバー２０を係合するというような方法で配置される。レバー２０は一般的に直角に曲げられ、および、曲がった翼の上に、オリフィス閉鎖ボール要素３２が一般的に溶接によって固着される。オリフィス閉鎖要素３２は、オリフィスより大きい直径のボールである。
【００４９】
第２のレバー２０が、第２のオリフィスを開閉するためにオリフィス閉鎖要素３２に回動可能に接続される。弾力部材３８（ばね）が、閉じおよび開き動作を減衰させるために第２のレバー２０とクロス部材３６との間に挿入される。
【００５０】
スチームトラップ１０の動作が、次に図面を用いて記載される。
【００５１】
特に起動状態において、蒸気配管内にトラップされる空気は空気抜き６４を通して放出され、および、特に図３に示すように、蒸気ロックが蒸気ロックリリース６６を使用して解除される。
【００５２】
図４ａにおいて、トラップに入る何の復水もなしで、チャンバ内の復水レベル２８（ａ）は低く、および、第１のレバー１８によって適切に増幅されるボールフロート１６の自己重量が、オリフィス閉鎖要素および対応するオリフィスシートに与えられ、両方のオリフィスを閉じたままに保つ。図４ｂは、閉位置における両方のオリフィスとともに図４ａのトラップの一部の詳細を示す。
【００５３】
図５ａは復水がトラップチャンバ２８に入る時の位置を示し、および、復水レベル２８（ｂ）は上昇し、および、第１のレバー１８によって適切に増幅されるフロートの浮力が第１のオリフィスシートからオリフィス閉鎖要素３０を持ち上げ、復水が出口までオリフィスを通過することができるようにする。しかしながら、第１のレバー１８が第２のレバー２０をまだ係合しないので、第２のオリフィスは閉じたままである。図５ｂは、閉位置の両方のオリフィスとともに図５ａのトラップの一部の詳細を示す。
【００５４】
図６ａはより多くの復水がトラップチャンバ２８に入る時の位置を示す。復水レベル２８（ｃ）は、その最上部の位置までフロートを上げ、および、第１のレバー１８はオリフィスシートから両方のオリフィス閉鎖要素３０および３２を持ち上げるように第２のレバー２０を係合する。この位置において、両方のオリフィスが、出口を通して復水を排出する。図６ｂは、閉位置の両方のオリフィスとともに図６ａのトラップの一部の詳細を示す。
【００５５】
図７に示すように本発明の代替実施態様において、クロス部材３６が第２のオリフィスの閉じおよび開き動作を減衰させるために弾力的なバネ部材４４によって置換される。
【００５６】
図８は、単一の構成要素３９として作られるオリフィスの典型的な設計を示す。オリフィスシートは、一定の使用で消耗および摩損になりやすく、予定された定期修理作業で交換される。単一の構成要素として作られるオリフィスは組立てるのがより容易であり、かつより少ないボルト締め／固定部材を必要とする。
【００５７】
図９は、別個の構成要素３８または４０として作られるオリフィスの代替設計を示す。この設計は必要である限り、状態に従い別個のオリフィスシートの交換を可能にする。このオリフィスシートは、製造して、保存するのがより容易である。
【００５８】
図１０は、第１のオリフィス閉鎖要素３０，第２のオリフィス閉鎖要素３２および第３のオリフィス閉鎖要素４６を備えた複数オリフィス（特に数えない）を有する本発明の代替実施態様の断面の平面図が図１０内に見られることを示す。単一フロート１６が、オリフィスを開閉するためのレバーシステムを動作させる。
【００５９】
図１１は複数オリフィス、ならびに、オリフィス入口４８および５０を開閉するためのレバー１８を通してフロート１６によって動作される、回転要素５２からなる回転オリフィス機構を備えた本発明の別の実施態様を示す。
【００６０】
図１２は、複数オリフィス、ならびに、出口オリフィス５４および５６を開閉するためのフロート１６およびレバー配置１８によって動作される、摺動要素機構５２を備えた本発明の別の実施態様を示す。
【実験データ】
【００６１】
試験が、図１に示すような本発明のスチームトラップの機能の効率を測定するために実施された。試験台が、入口圧力を測定するための圧力計およびトラップによって排出される復水のための計量配置とともに準備された。従来の単一オリフィススチームトラップが試験台内に配置され、復水がトラップ内に受け入れられた。トラップによって排出される復水が、特定の期間の間収集されて、トラップ全体にさまざまな差圧で、毎時キログラムで排出量を算出するために計量された。この手順は、上記の通りに２つのオリフィスフロートタイプスチームトラップ上で繰り返された。
【００６２】
図１３が、実験の結果のグラフ図であり、Ｘ軸に差圧およびｙ軸に排出量をプロットされている。５８にマークされるグラフが、従来の単一オリフィスフロートタイプスチームトラップに対する試験結果、および、６０とマークされるグラフが、本発明内に認識されるようなスチームトラップに対する試験結果を表す。
【００６３】
単一オリフィススチームトラップでは復水排出量が、２バール（ゲージ）の差圧まで４８０Ｋｇｓ／ｈｒでおおよそ一定であり、および４バール（ゲージ）で約５９０Ｋｇｓ／ｈｒまで上昇する。本発明の２つのオリフィススチームトラップでは第２のオリフィスは、１バール（ｇ）差圧で、６２０Ｋｇｓ／ｈｒまで、および４バール（ゲージ）で１０００Ｋｇｓ／ｈｒまで排出量を上昇させる。２つのオリフィススチームトラップでは排出量は、減少した流速でかなり改善され、それによってオリフィスの消耗および摩損を減少させる。
【００６４】
図１４は、上記の試験結果の排出比率に基づく能力改善係数チャートを示し、排出比率がｙ軸内に、および、差圧がｘ軸内にプロットされている。このグラフは、本発明のスチームトラップの排出能力において達成される改善を明らかに示す。
【００６５】
相当な重点が本願明細書においてフロートタイプスチームトラップの特定の特徴、それに関する即応、に置かれたとはいえ、さまざまな変更がなされることができ、および、多くの変更が本発明の原理から逸脱することなく、好ましい実施態様においてなされることができることは理解されよう。本発明または好適な実施態様の性質におけるこれらの、そしてまた他の、変更は、本願明細書の開示から当業者に明らかであり、それによって明確に理解されるべきことは、上記の記述的な内容が単に本発明の例証であり、かつ限定ではないと解釈されるべきということである。
【図面の簡単な説明】
【００６６】
本発明内に認識されるフロートタイプスチームトラップの全ての態様および利点は、以下の添付の図面と共に読みとられる時、好ましい、限定されない実施態様の記述によって明らかになるであろう。
【００６７】
【図１】組立てられたフロートタイプスチームトラップの断面図を示す。
【図２】図１のスチームトラップの組立てられた状態におけるオリフィス、レバーおよびフロートを備えたベースユニットの立体図面を示す。
【図３】詳細空気抜きおよび蒸気ロックリリース構成要素を示すスチームトラップの断面の立面図を示す。
【図４ａ】図１の組立てられたフロートタイプスチームトラップの断面の立面図を示す。
【図４ｂ】図４ａのトラップの一部の詳細を示す。
【図５ａ】図１の組立てられたフロートタイプスチームトラップの断面の立面図を示す。
【図５ｂ】図５ａのトラップの一部の詳細を示す。
【図６ａ】図１の組立てられたフロートタイプスチームトラップの断面の立面図を示す。
【図６ｂ】図６ａのトラップの一部の詳細を示す。
【図７】レバーの間に挿入されるバネ部材を備えた代替実施態様の組立てられたフロートタイプスチームトラップの断面図を示す。
【図８】単一の構成要素として作られるオリフィスの詳細を示す。
【図９】別個の構成要素として作られるオリフィスの代わりの詳細を示す。
【図１０】複数オリフィス配置を備えたフロートタイプスチームトラップの代替実施態様の断面図を示す。
【図１１】オリフィスの開閉のための回転メカニズムを備えた、フロートタイプスチームトラップの代替実施態様の断面の立面図を示す。
【図１２】オリフィスの開閉のための摺動機構を備えたフロートタイプスチームトラップの代替実施態様の断面の立面図を示す。
【図１３】本発明のスチームトラップおよび従来の単一オリフィスフロートタイプスチームトラップの排出能力に対する試験結果のグラフ図を示す。
【図１４】本発明のトラップおよび従来の単一オリフィスフロートタイプスチームトラップの能力改善係数のグラフ図を示す。
【符号の説明】
【００６８】
１０スチームトラップ
１２ベース
１６ボールフロート
１７出口手段
１８第１のレバー
２０第２のレバー
２８トラップチャンバ
２８（ａ）、２８（ｂ）、２８（ｃ）復水レベル
３０第１のオリフィス閉鎖要素
３２第２のオリフィス閉鎖要素
３３ピボットフレーム
３４ピボットピン
３５第１のオリフィス
３６クロス部材
３８弾力部材
３９単一の構成要素
４０第２のオリフィス
４１、４２通路
４４バネ部材
４６第３のオリフィス閉鎖要素
４８、５０オリフィス入口
５２回転要素、摺動要素機構
５４、５６出口オリフィス
５８従来の単一オリフィスフロートタイプスチームトラップに対する試験結果
６０本発明内に認識されるようなスチームトラップに対する試験結果
６４空気抜き
６６蒸気ロックリリース
【図１】
2010506100.tif 000002
【図２】
2010506100.tif 000003
【図３】
2010506100.tif 000004
【図４ａ】
2010506100.tif 000005
【図４ｂ】
2010506100.tif 000006
【図５ａ】
2010506100.tif 000007
【図５ｂ】
2010506100.tif 000008
【図６ａ】
2010506100.tif 000009
【図６ｂ】
2010506100.tif 000010
【図７】
2010506100.tif 000011
【図８】
2010506100.tif 000012
【図９】
2010506100.tif 000013
【図１０】
2010506100.tif 000014
【図１１】
2010506100.tif 000015
【図１２】
2010506100.tif 000016
【図１３】
2010506100.tif 000017
【図１４】
2010506100.tif 000018